(57)【特許請求の範囲】
【請求項１】
把持手段と、この把持手段の先端側に配設された払拭部とを備える人工乳首用洗浄具であって、
前記払拭部が、
支持体と、この支持体よりも柔軟な材料で形成され前記支持体を被覆するカバー部材と
を備えており、
前記支持体が、略球面状に形成された小径部と、この小径部よりも前記把持手段側に位置する大径部と
を有し、
かつ、前記小径部の先端部と、前記カバー部材との間には、僅かな空間が形成される構成とされており、
かつ前記支持体の前記小径部の先端部を略平坦面とし、前記カバー部材の前記小径部に対応する箇所を凹状内面とすることにより、前記空間を設けるようにした
ことを特徴とする、人工乳首用洗浄具。
【請求項２】
前記カバー部材が、前記支持体に対して着脱可能に構成されていることを特徴とする、請求項１に記載の人工乳首用洗浄具。
【請求項３】
前記支持体の先端部の前記平坦面の径は、洗浄対象となる人工乳首の貫通孔の孔径よりも大きく形成されていることを特徴とする請求項１または２のいずれかに記載の人工乳首用洗浄具。
【請求項４】
前記支持体には、外周に沿って連続する凸部が設けられていることを特徴とする、請求項１ないし３のいずれかに記載の人工乳首用洗浄具。
【請求項５】
前記凸部が、前記支持体の外周に沿って斜めに連続する構成としたことを特徴とする、請求項４に記載の人工乳首用洗浄具。
【請求項６】
前記支持体の前記大径部には、長手方向に沿って凸部もしくは凹部が形成されていることを特徴とする、請求項１ないし５のいずれかに記載の人工乳首用洗浄具。
【請求項７】
前記把持手段が、長手方向に対して湾曲した柄として構成されており、さらに、前記柄の前記支持体側端部よりであって、前記柄の湾曲する方向と交差する位置に使用者の手指を当接させる保持部を設けたことを特徴とする、請求項１ないし６のいずれかに記載の人工乳首用洗浄具。
【発明の詳細な説明】
【０００１】
【発明の属する技術分野】
この発明は、例えば哺乳瓶等に装着される人工乳首の内側を洗浄する際に好適に使用される洗浄具の改良に関するものである。
【０００２】
【従来の技術】
図１１は、従来の人工乳首用洗浄具を示している。
図において、人工乳首用洗浄具１は、やや長尺の柄２と、この柄２の先端に設けた払拭部１１とを備えている。この払拭部１１は、図示されているように、哺乳瓶用の人工乳首６の内側に挿入して、その内面の汚れを擦り落とすようになっている。
【０００３】
ここで、払拭部１１は、芯材である支持体３に、ウレタン等の柔軟なカバー部材９を被せて形成されている。払拭部１１の基本形態を形成する支持体３は、人工乳首６の先端の乳頭部７の内面に適合する細い先端部４と、人工乳首６の膨出した形状とされた基部８の内面に適合する胴元部５とを有している。
これにより、人工乳首用洗浄具１は、独特に複雑な形状をした人工乳首６の内面にその払拭部１１を当接させて、きれいに洗浄することができるようになっている。
そして、図１１のような人工乳首用洗浄具１においては、その払拭部１１が人工乳首６の複雑な内面形状に適合するような形状とされているため、すみずみまで当接して、洗浄しやすく、また、払拭部１１のカバー部材９は、スポンジ等の柔軟な素材で形成されているので、柔らかい人工乳首６を傷付けにくいという利点がある。
【０００４】
【発明が解決しようとする課題】
しかしながら、人工乳首６は、比較的柔軟なシリコーン等で形成されており、その乳頭部６には、ミルクを噴出させるための小さな貫通孔１２が形成されている。
このため、人工乳首用洗浄具１を用いて、図１１のように洗浄する際に、矢印方向に比較的強い力がかかると、人工乳首用洗浄具１の先端部が、人工乳首６の貫通孔１２を突き破る力を加えることになり、場合によっては、人工乳首６の貫通孔１２の周囲を破断するおそれがある。
【０００５】
この点、人工乳首用洗浄具１では、払拭部１１が、柔軟なカバー部材９によって被覆されているので、人工乳首６の貫通孔１２に損傷を与えることがある程度防止されている。しかしながら、人工乳首６の貫通孔１２の孔形状が、所謂十字型にカットされていたり、Ｙ型にカットされていたりする構成をとっている場合には、洗浄の際に、カットされた端部から、一層破断されやすい。
【０００６】
本発明は、このような問題を解決するためになされたもので、洗浄の際に、人工乳首の先端部の貫通孔を損傷することが有効に防止できる人工乳首用洗浄具を提供することを目的としている。
【０００７】
【課題を解決するための手段】
上記目的は、請求項１の発明にあっては、把持手段と、この把持手段の先端側に配設された払拭部とを備える人工乳首用洗浄具であって、前記払拭部が、支持体と、この支持体よりも柔軟な材料で形成され前記支持体を被覆するカバー部材とを備えており、前記支持体が、略球面状に形成された小径部と、この小径部よりも前記把持手段側に位置する大径部とを有し、かつ、前記小径部の先端部と、前記カバー部材との間には、僅かな空間が形成される構成とされており、かつ前記支持体の前記小径部の先端部を略平坦面とし、前記カバー部材の前記小径部に対応する箇所を凹状内面とすることにより、前記空間を設けるようにした人工乳首用洗浄具により、達成される。
【０００８】
請求項１の構成によれば、支持体に柔軟な材料で形成されたカバー部材を被覆しているので、払拭部の外形、すなわち、カバー部材の外形は、支持体の形態に沿って形成される。このため、払拭部には、支持体の形態に対応して小径部と大径部とが形成される。払拭部の小径部は、人工乳首の乳頭部の内面に適合しており、大径部は、人工乳首の乳頭部よりも径の大きな基部の内面に適合しているので、払拭部を人工乳首の内側に差し入れることにより、払拭部は、人工乳首の複雑な内面形状に適合するように接触される。
そして、前記支持体の、前記小径部と、前記カバー部材との間には、僅かな空間が形成されるから、払拭部が人工乳首の内側で、その乳頭部の内面に当接された際には、力がくわわっても、この僅かな空間がつぶれるように変形することで、力を吸収すると共に、先端径が拡大され、人工乳首の乳頭部の貫通孔を突き破るような力が、小さな面積に集中することを防止することができる。
しかも前記支持体の前記小径部の先端部を略平坦面とし、前記カバー部材の前記小径部に対応する箇所を凹状内面とすることにより、前記空間を設けるようにしたから、前記支持体の形状に僅かな変更を行うだけで、前記空間を形成することができる。
【０００９】
請求項２の発明は、請求項１の構成において、前記カバー部材が、前記支持体に対して着脱可能に構成されていることを特徴とする。
請求項２の構成によれば、カバー部材が痛んだり、汚れたりした場合には、カバー部材だけを交換することができる。
【００１１】
請求項３の発明は、請求項１または２のいずれかの構成において、前記支持体の前記平坦面の径は、洗浄対象となる人工乳首の貫通孔の孔径よりも大きく形成されていることを特徴とする。
請求項３の構成によれば、人工乳首の洗浄時に、貫通孔にかかる力をより低減することができる。具体的には、一般的な人工乳首における貫通孔が、丸孔状の場合、最大で直径０．８ｍｍ程度であり、Ｙ字状等のカットされた場合、最大でも直径１．５ｍｍ程度であるため、平坦面の径は２ｍｍ以上とされることが好ましい。
【００１２】
請求項４の発明は、請求項１ないし３のいずれかの構成において、前記支持体には、外周に沿って連続する凸部が設けられていることを特徴とする。
請求項４の構成によれば、前記凸部は、前記支持体の外周に沿って連続する形態であるから、長手方向と直交する方向に突出することになる。このため、払拭部が長さ方向に移動する際に、褶動抵抗を発揮するので、人工乳首の乳頭部の貫通孔を、より破損しにくい。
また、前記凸部は、前記支持体の外周に沿って連続する形態であるから、人工乳首の内面を洗浄するに当たって、当接圧力が増大し、前記褶動抵抗を人工乳首の内面の全周にわたって作用させることになり、その分、人工乳首の内面の全周にわたってムラなく洗浄効果を発揮する。
さらに、人工乳首の内面に、リング状に溝ないし薄肉部が形成され、この部分が伸張しやすいように、特に構成された人工乳首を洗浄する場合には、前記凸部は、この溝等の形態と特に適合されて、溝内に入り込むことで、洗浄効果を高めることができる。
【００１３】
請求項５の発明は、請求項４の構成において、前記凸部が、前記支持体の外周に沿って斜めに連続する構成としたことを特徴とする。
請求項５の構成によれば、請求項４の作用に加えて、人工乳首の内面に、スパイラル状に溝ないし薄肉部が形成され、この部分が伸張しやすいように、特に構成された人工乳首を洗浄する場合には、前記支持体の外周に沿って斜めに連続する構成とされた前記凸部が、この溝等の形態と特に適合されて、溝内に入り込むことで、洗浄効果を高めることができる。
【００１４】
請求項６の発明は、請求項１ないし５いずれかの構成において、前記支持体の前記大径部には、長手方向に沿って凸部もしくは凹部が形成されていることを特徴とする。
請求項６の構成によれば、把持手段を持って払拭部を長手方向に沿った中心軸回りに回動させると、前記凸部もしくは凹部は、回動方向と直交する方向に延びているので、当接圧力が増大し、褶動抵抗を生じて、人工乳首の内面の汚れをこすりとることができる。
【００１５】
請求項７の発明は、請求項１ないし６のいずれかの構成において、前記把持手段が、長手方向に対して湾曲した柄として構成されており、さらに、前記柄の前記支持体側端部よりであって、前記柄の湾曲する方向と交差する位置に使用者の手指を当接させる支持部を設けたことを特徴とする。
【００１６】
請求項７の構成によれば、柄を把持した場合に、把持した手の内面の形状に適合して、フィット性や安定性が増大する。
また、前記柄の前記支持体側端部よりであって、前記柄の湾曲する方向と交差する位置に使用者の手指を当接させる保持部を設けたことで、使用者は、親指を保持部に当てて、柄を保持すると共に、親指に力を込めることになるので、腕を使った長さ方向の褶動よりも手首を使った回転方向の褶動に適合させることができ、人工乳首の先端部の貫通孔を損傷させやすい動きを効果的に抑制することができる。
【００１７】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の第１の実施形態による人工乳首用洗浄具の概略斜視図、図２は人工乳首用洗浄具を横にした状態で示す平面図、図３は、図２の人工乳首用洗浄具のＡ−Ａ線概略断面図である。
これらの図において、人工乳首用洗浄具２０は、比較的長尺な柄２１と、この柄２１の一端に配設された払拭部２２とを備えている。
【００１９】
柄２１は、一端に払拭部２２の支持体２４をを含む長く延びた長尺体で形成されている。この柄２１は、後述するように、手によって把持され、また、後述するカバー部材を十分支持できる硬質の材料で形成されており、例えば、ポリプロピレンやＡＢＳ（アクリロニトリル・ブタジエン・スチレン）樹脂や、ポリカーボネート、ポリアセタール等で作られている。
この柄２１は、図２に示すように、長さ方向（長手方向）であるＸ方向に長く延びており、Ｘ平面上で、特に柄２１の端部側がやや湾曲している。また、柄２１の払拭部２２の基端部近傍には、後述するように、使用時に手の親指の腹が当接されるための保持部２７を有している。保持部２７は、柄２１の湾曲する方向と交差する方向に向いて設けられている。柄２１にはさらに、この保持部２７と反対の端部に形成された貫通孔２３を備えている。
【００２０】
図１及び図２を参照してわかるように、柄２１は、中央に凹部を備えるやや偏平な形状とされている。そして、図２及び図３において、柄２１は、平らな上下面２１ａ，２１ｂを有している。この各面上には、上記保持部２７の位置に、例えば、突起２７ａもしくは凹凸等を形成することで、滑り止めとされている。
【００２１】
また、柄２１の先端側（上記貫通穴２３と反対側）は、一体に形成した支持体２４となっている。すなわち、支持体２４は、柄２１と同じ硬質の材料で形成されており、支持体２４の先端部は、洗浄対象となる人工乳首の内面の形状に対応させて、その乳頭部に適合するようなやや小さな径を有する小径部２６と、この小径部２６から連続するくびれ部２６ａと、このくびれ部２６ａから連続する大径部２８とを有している。そして、好ましくは、支持体２４の垂直断面形状は、やや偏平な円形もしくは楕円形とされている。
【００２２】
さらに、小径部２６の先端部には、小径部２６の曲面よりも大きな曲面もしくは、ほぼ平らな面で形成した平坦部もしくは平坦面３１が設けられている。また、小径部２６とくびれ部２６ａの間の箇所と、くびれ部２６ａと大径部２８との間の箇所には、外周に沿って連続する凸部３２と凸部３３とが設けられている。すなわち、これら凸部３２と凸部３３とは、支持体２４の外周に沿って一体に設けられたリング状の凸部である。
また、凸部３２と凸部３３は、図示のように２つではなく、ひとつ設けるだけでもよく、３つ以上、複数もしくは多数設けてもよい。
あるいはまた、これら凸部３２と凸部３３は、支持体２４の外周に沿って斜めに連続する、例えば、スパイラル状のひとつの凸部としてもよい。
【００２３】
図７は、洗浄対象となる人工乳首４０を先端側から見た図である。図６及び図７に示されているように、人工乳首４０は、乳頭部３４と、胴部３５と、胴部３５の端部の周囲に広がるフランジ部３６を有している。図７において、人工乳首４０の乳頭部３４先端に設けられる貫通孔１２は、例えば、Ｙ字状であり、その孔径はＬ１で示されている。そして、好ましくは、上述した支持体２４の先端部の平坦部３１の大きさは、図３に示す平坦部３１の径をＬ２とすると、この平坦部３１の径Ｌ２が貫通孔１２の孔径Ｌ１よりも大きく形成されるとよい。これにより、後述する洗浄時に貫通孔１２にかかる力をより低減することができる。
ここで、一般的な人工乳首における貫通孔が、丸孔状の場合、最大で直径０．８ｍｍ程度であり、Ｙ字状等のカットされた場合、最大でも直径１．５ｍｍ程度であるため、平坦部３１の径は２ｍｍ以上とされることが好ましい。この実施形態では、平坦部３１の径Ｌ２は、例えば８ｍｍとされる。
【００２４】
上記支持体２４には、カバー部材２５が被覆されている。
このカバー部材２５は、例えば、弾性に基づいて変形可能な比較的柔軟な材料で形成されており、繰り返し洗浄作業に使用されても破断しない程度の強度と、好ましくは、所定の加熱温度で溶断されるような材料、例えば、ウレタン材料やＥＶＡ樹脂等により形成されている。
【００２５】
すなわち、このカバー部材２５は、先端側の一端が閉じられ、他端が開放された中空のキャップ状のカバー体である。
このカバー部材２５の内径は、支持体２４の外形よりも僅かに小さく形成され、図１の開口２５ａから、支持体２４を挿入されることで、その弾性に基づいて、強制的に外側に拡大されるようになっている。
このように、カバー部材２５は、支持体２４に着脱可能に構成されているので、カバー部材２５が痛んだり、汚れたりした場合には、カバー部材２５だけを適宜交換することができる。
【００２６】
ここで、払拭部２２の小径部２６は、カバー部材２５を装着した状態において、例えば、洗浄対象となる人工乳首（後述）の乳頭部の内径とほぼ同じか僅かに大きい程度に形成される。また、大径部２８は、人工乳首の膨出した胴部３５の内面の曲面に沿うように形成されると好ましい。
また、上述のように支持体２４の断面形状が楕円等の形状であると、洗浄時にカバー部材２５が支持体２４の周囲で滑って、周方向に回転しにくくすることができると共に、楕円の長径側が、人工乳首内面に強く接触する事で、回転洗浄時の洗浄効果が高まる。
【００２７】
図１において、払拭部２２の外面を形成するカバー部材２５の側面には、長さ方向に沿って、硬い箇所２３が形成されている。
すなわち、この硬い箇所２３は、カバー部材２５の外面の柄２１が延びる方向とほぼ一致する方向に沿う領域に、この領域以外の箇所よりも硬い部分を形成することにより、設けられている。
この硬い部分２３は、特に回転洗浄の際に、こびりついた汚れを掻き取るための掻き取り部，すなわちスクレーパ部として機能する。
【００２８】
カバー部材２５の上記スクレーパ部２３を形成するためには、例えば、２枚のウレタン材料を用意して重ねる。この際、好ましくは、２枚のウレタン材料に関して、それぞれ発泡状態を変える等の手法により、各材料の表面の粗さを変えるようにしてもよい。
次いで、例えば、所定の温度に加熱した刃を用いて重ねた２枚のウレタン材料をカバー部材２５の外形に沿って剪断する。
これにより、切断された材料の切断箇所の断面には、切断の際に材料が溶断されたことで、溶けた部分が僅かに残り、この部分が硬い部分としてのスクレーパ（ｓｃｒａｐｅｒ）部２３として形成される。
すなわち、図１に示すように、カバー部材２５は、その切断部である側面と全面の端部を含む全ての周縁部にて、２枚の材料の境界に沿って硬い部分であるスクレーパ部２３が形成され、その内側は中空となったキャップ状に形成される。
【００２９】
本実施形態は、以上のように構成されており、次に、図４ないし図６を参照して、その使用方法を説明する。
図４は、本実施形態の人工乳首用洗浄具２０の使用の状態を示しており、図５は、図４を拡大してさらに詳細に示す図であり、図６は、使用時における人工乳首と払拭部２５を示す概略断面図である。
【００３０】
使用者は、例えば、水道の蛇口の下等の流水が得られる場所（図示せず）で、例えば、洗浄対象となる哺乳瓶用の人工乳首４０を洗浄する。
この時、好ましくは、払拭部２２のカバー部材２５に、所定の洗剤等を入れて、この人工乳首４０を上記流水の下に配置する。
そして、使用者は、例えば、その左手Ｈ１の指の間に、人工乳首４０の乳頭部３４と胴部３５の間の箇所を挟んで保持する。（図５参照）そして、人工乳首４０の底面開口から、本実施形態の洗浄具２０の払拭部２２を差し入れる。
この時、使用者の右手Ｈ２は、その親指Ｆ１を例えば柄２１の保持部２７の上面２１ａに当て、人差し指Ｆ２の側面を下面２１ｂに当てることで、柄２１をしかり保持する。
【００３１】
これにより、左手Ｈ１の上記指に力を入れることで、人工乳首４０の乳頭部３４の内面に、洗浄具２０の払拭部２２の小径部２６と対応した箇所が当接される。また、人工乳首４０の胴部３５の内面には、大径部２８と対応した箇所の外面が当接される。この状態で、柄２１を持った手Ｈ２の手首を回転させて、矢印Ｃ方向に、回動させる。すなわち、柄２１をその軸方向の周囲に正逆に回転させると、人工乳首４０の内面に上述のようにおしつけられている払拭部２２が、人工乳首４０の内面のほぼ全面を拭うことができるので、内面をきれいに掃除することができる。
【００３２】
ここで、払拭部２２の外面には、上述したスクレーパ部２３が、その長さ方向に線状に延びているので、人工乳首４０の内面は、柔らかい材料でなる払拭部２２のカバー部材２５の柔軟な箇所に接触されて拭われるだけでなく、この硬いスクレーパ部２３が人工乳首４０の内面に対して擦られる。
【００３３】
これにより、人工乳首４０は、例えば、使用後に直ぐに洗浄されないで、その内面にミルクの残滓等がかたまって付着し、白いぶつぶつした固まりとなっているような場合でも、これを掻きとるように除去することができる。
したがって、人工乳首４０の内面にこれまでのように、頑固な汚れが固着してとれなくなるということがなく、完全かつ清潔に洗浄することが可能となる。したがって、このような汚れが残ったまま、次に使用することで、乳幼児に悪影響を与えることがない。
【００３４】
しかも、図６に示すように、支持体２４の先端部に、平坦部３１が設けられているので、支持体２４の小径部２６と、カバー部材２５との間には、僅かな空間Ｓが形成されるから、払拭部２２が人工乳首４０の内側で、その乳頭部３４の内面に当接された際には、力がくわわっても、この僅かな空間Ｓがつぶれるように変形することで、先端径が拡大し、人工乳首４０の乳頭部３４の貫通孔１２を突き破るような力が、小さな面積に集中することを防止することができる。
このため、人工乳首４０を損傷することなく、その内面を清潔に洗浄することができる。
【００３５】
ここで、支持体２４には、上述したように、凸部３２，３３が形成されている。これらの凸部３２，３３は、支持体２４の外周に沿って連続する形態であるから、長手方向Ｘと直交する方向に突出することになる。このため、洗浄中に力が作用して払拭部２２が長さ方向Ｘに移動された場合には、褶動抵抗を発揮するので、人工乳首４０の乳頭部の貫通孔１２をより破損しにくい。
【００３６】
しかも、凸部３２，３３は、支持体２４の外周に沿って、リング状に連続する形態であるから、特に、Ｘ方向に出し入れするように、人工乳首４０の内面を洗浄するに当たって、当接圧力が増大し、その褶動抵抗を人工乳首４０の内面の全周にわたって作用させることになり、その分、人工乳首４０の内面の全周にわたってムラなく洗浄効果を発揮する。
さらに、人工乳首４０の内面に、リング状に溝ないし薄肉部が形成され、この部分が伸張しやすいように、特に構成された人工乳首４０を洗浄する場合には、凸部３２，３３は、この溝等の形態と特に適合されて、溝内に入り込むことで、一層洗浄効果を高めることができる。
【００３７】
あるいは、支持体２４の凸部が、支持体２４の外周に沿って斜めに連続する構成とした場合には、人工乳首４０の内面に、スパイラル状に溝ないし薄肉部が形成され、この部分が伸張しやすいように、特に構成された人工乳首を洗浄する場合（図示せず）に、支持体２４の外周に沿って斜めに連続する構成とされた凸部が、この溝等の形態と特に適合されて、溝内に入り込むことで、洗浄効果を高めることができる。
【００３８】
さらに、この人工乳首用洗浄具２０では、柄２１の支持体２４側端部よりであって、柄２１の湾曲する方向と交差する位置に使用者の手指Ｆ１，Ｆ２を当接させる保持部２７を設けたことで、使用者は、親指Ｆ１を保持部２７に当てて、柄２１を保持すると共に、親指Ｆ１に力を込めることになるので、腕を使った長さ方向の褶動よりも手首を使った回転方向の褶動に適合させることができ、人工乳首４０の先端部の貫通孔１２を損傷させやすい、長さ方向Ｘに沿った動きを効果的に抑制することができる。
【００３９】
図８及び図９は、上述の実施形態の第１の変形例を示している。
図８は、第１の変形例の概略平面図、図９は、第１の変形例の概略正面図である。これらの図において、人工乳首用洗浄具２０と同一の符号を付した箇所は共通する構成であるから、重複する説明は省略し、相違点を中心に説明する。
この第１の変形例では、支持部２４の凸部３２，３３に加えて、さらに、大径部２８に、長手方向に沿って、複数の凸部５１，５１，５１が形成されている。また、柄５２は、湾曲しておらず、直線的に形成されている点が、人工乳首用洗浄具２０と相違している。
【００４０】
これにより、第１の変形例では、図６で説明した洗浄に際して、把持手段である柄５２を持って払拭部を長手方向に沿った仮想の中心軸Ｃ１の回りに回動させると、凸部５１，５１，５１は、回動方向と直交する方向に延びているので、人工乳首４０の基部３５内面への当接圧力が増大し、褶動抵抗を生じて、人工乳首４０の内面の汚れをこすりとることができる。
それ以外の作用効果は、人工乳首用洗浄具２０と同じである。
【００４１】
図１０は、上述の実施形態の第２の変形例を示している。
図１０（ａ）は、第２の変形例に係る人工乳首用洗浄具６０の支持体２４の概略平面図、図１０（ｂ）は、第２の変形例に係る人工乳首用洗浄具６０の支持体２４の概略正面図、図１０（ｃ）は、図１０（ａ）のＢ−Ｂ線切断断面図、図１０（ｄ）は、図１０（ａ）のＤ−Ｄ線切断断面図である。
これらの図において、人工乳首用洗浄具２０と同一の符号を付した箇所は共通する構成であるから、重複する説明は省略し、相違点を中心に説明する。
【００４２】
第２の変形例の人工乳首用洗浄具６０において、第１の変形例と相違しているのは、支持部２４の凸部３２，３３に加えて、さらに、大径部２８に、長手方向に沿って、複数の凹部６１，６１，６１，６１が形成されている点である。
これにより、第２の変形例では、図６で説明した洗浄に際して、把持手段である柄２１を持って、左手Ｈ１で人工乳首４０を潰すように変形させながら、払拭部を長手方向に沿った仮想の中心軸（図８の場合と同じ）Ｃ１の回りに回動させると、凹部６１，６１，６１，６１は、回動方向と直交する方向に延びているので、人工乳首４０の基部３５内面への当接圧力が増大し、褶動抵抗を生じて、人工乳首４０の内面の汚れをこすりとることができる。
それ以外の作用効果は、人工乳首用洗浄具２０と同じである。
【００４３】
本発明は、上述の実施形態に限定されない。
把持部２１と、支持体２４を着脱可能として、支持体２４とカバー部材２５を一体に形成し、磨耗時に払拭部２２ごと取り換えられるように形成してもよい。また、把持部２１の払拭部２２側に植毛ブラシを設け、人工乳首用キャップ等も同時に洗浄できるように構成してもよい。
各実施形態の各構成要素や、各変形例の構成要素は、本発明の効果を発揮する限りにおいて、個々に省略することができ、あるいは、相互に組み合わせることができる。そして、さらに、上述の説明で言及しない構成を付加することができる。
【００４４】
【発明の効果】
以上述べたように、本発明によれば、洗浄の際に、人工乳首の先端部の貫通孔を損傷することが有効に防止できる人工乳首用洗浄具を提供することができる。
【図面の簡単な説明】
【図１】本発明の第１の実施形態による人工乳首用洗浄具の概略斜視図である。
【図２】図１の人工乳首用洗浄具を横にした状態で示す平面図である。
【図３】図２の人工乳首用洗浄具のＡ−Ａ線概略断面図である。
【図４】本実施形態の人工乳首用洗浄具の使用の状態を示す図である。
【図５】図４を拡大してさらに詳細に示す図である。
【図６】使用時における人工乳首と払拭部を示す図である。
【図７】洗浄対象となる人工乳首４０を先端側から見た図である。
【図８】図１の人工乳首用洗浄具の第１の変形例の概略平面図である。
【図９】図８の第１の変形例の概略正面図である。
【図１０】図１の人工乳首用洗浄具の第２の変形例を示すものであり、（ａ）は、第２の変形例に係る人工乳首用洗浄具６０の支持体２４の概略平面図、（ｂ）は、第２の変形例に係る人工乳首用洗浄具６０の支持体２４の概略正面図、（ｃ）は、図１０（ａ）のＢ−Ｂ線切断断面図、（ｄ）は、図１０（ａ）のＤ−Ｄ線切断断面図である。
【図１１】従来の人工乳首用洗浄具の一例を示す図である。
【符号の説明】
２０，５０，６０・・・人工乳首用洗浄具、２１・・・柄、２２・・・払拭部、２４・・・支持体、２５・・・カバー部材、３１・・・平坦部。
【図１】
0003983102.tif 000002
【図２】
0003983102.tif 000003
【図３】
0003983102.tif 000004
【図４】
0003983102.tif 000005
【図５】
0003983102.tif 000006
【図６】
0003983102.tif 000007
【図７】
0003983102.tif 000008
【図８】
0003983102.tif 000009
【図９】
0003983102.tif 000010
【図１０】
0003983102.tif 000011
【図１１】
0003983102.tif 000012